(57)【要約】【課題】的確な照明効果を有し、様々な用途に応用できる照明付工具を提供する。【解決手段】発光グリップ１０と、必要な数の透光差込部３０とによって構成され、前記透光差込部３０の外形形状は、発光グリップ１０の先端の挿入孔１３に対応しており、高耐久強度のプラスチックにて射出成形され、その内部に金属板片３１，３３が設けられており、射出成形された透光差込部３０と一体に結合されている。また、前記金属板片３１，３３の先端部は透光差込部３０から露出しており、ドライバーとして使用できるようになっており、前記透光差込部３０に貫通孔３０１を設け、前記貫通孔中３０１には鉛筆４０、ボールペン芯４１を設置し、筆記用具として使用することができる。【選択図】図３
0003105660.tif 000002
【実用新案登録請求の範囲】
【請求項１】
発光グリップと、必要な数の透光差込部とによって構成され、
前記透光差込部の外形形状は、前記発光グリップの先端の挿入孔に対応して高耐久強度のプラスチックにて射出成形され、その内部に金属板片が設けられてこの金属板片を前記射出成形された透光差込部と一体に結合していると共に、前記金属板片の先端部は前記透光差込部から露出してドライバーとして使用可能である一方、前記透光差込部を伝わる光線により、前記金属板片の先端に発光効果を具有させることを特徴とする照明付工具。
【請求項２】
前記透光差込部に貫通孔を形成し、この貫通孔の内部に鉛筆、ボールペン芯を設置して筆記用具として使用でき、さらにその先端に発光照明効果を具有させることを特徴とする請求項１に記載の照明付工具。
【請求項３】
前記透光差込部の後端に伸縮管を設け、光線はこの伸縮管を経由し、先端の透光差込部に発光効果を具有させることを特徴とする請求項１に記載の照明付工具。
【請求項４】
前記透光差込部は非中空にしたことを特徴とする請求項１に記載の照明付工具。
【請求項５】
前記透光差込部を射出成形するとき、蛍光剤を混合させて蛍光効果を具有させることを特徴とする請求項１に記載の照明付工具。
【考案の詳細な説明】
【技術分野】
【０００１】
本考案は、発光照明機能を有する工具係り、特に従来構造のものよりも更に優れた照明機能を有する照明付工具に関する。
【背景技術】
【０００２】
従来公知の発光照明機能を備える工具として、ドライバーを例に挙げる。その構造は、図１，２に示すようになっている。すなわち、発光グリップ１０は、本体１１、透光ヘッド１２、電池１５、ＬＥＤ灯１４から構成されており、透光ヘッド１２部分は発光機能を有している。この透光ヘッド１２の先端は、挿入孔１３を有しており、この挿入孔１３にドライバー２０を挿入するようになっている。このドライバー２０の構造は、非中空鉄製ロッド２１となっており、その両端は差込部２３を有しており、透光ヘッド１２の挿入孔１３に挿入され、先端部２２によってねじを回転するものであるが上記構造には下記のような欠点が存在する。
【０００３】
ドライバー２０は、非中空鉄製ロッド２１であり、光線を伝導する機能を有しておらず、ゆえに透光ヘッド１２部分のみが発光し、ドライバー２０の先端部分は発光しない。つまり、ねじを回転させる先端部２２は発光せず、照明機能に欠け、光線を集中させることができない。そのため、前記従来の構成では、単なる照明機能を有するドライバーとしてだけの用途に限られ、その他の用途に使用することができない。
【考案の開示】
【考案が解決しようとする課題】
【０００４】
前記従来構造の欠点を解決するために、本考案の目的は、
１．発光グリップのヘッド部分に挿入し、透光差込部内には金属板片を有し、この金属板片の先端部分は透光差込部から露出しており、ドライバーとして使用することができ、さらに透光差込部の光線を伝導する機能により前記金属板片の先端部の外周は照度の優れた発光効果を有し、的確な照明を得ることが可能な照明付工具を提供することである。  
２．前記透光差込部内には、鉛筆、ボールペンを配置することができ、筆記用具としての用途をも有し、先端部に極めて優れた照明機能を具有させることができる照明付工具を提供することである。
【０００５】
３．前記透光差込部は、非中空にしたり、内部に磁石を設置したりすることができ、光線を集中させ、さらなる優れた照明効果を得ることができる照明付工具を提供することである。
【課題を解決するための手段】
【０００６】
前記課題を解決するために、請求項１による照明付工具は、発光グリップと、必要な数の透光差込部とによって構成され、
前記透光差込部の外形形状は、発光グリップの先端の挿入孔に対応しており、高耐久強度のプラスチックにて射出成形されており、その内部に金属板片が設けられており、射出成形された透光差込部と一体に結合されて、前記金属板片の先端部は透光差込部から露出してドライバーとして使用できるようになっており、前記透光差込部に貫通孔を設け、この貫通孔中には鉛筆、ボールペン芯を配置し、筆記用具としても使用することができる。
【０００７】
請求項２の照明付工具は、前記透光差込部に貫通孔を形成し、この貫通孔の内部に鉛筆、ボールペン芯を配置することができて筆記用具として使用できるようになっており、さらにその先端に発光照明効果を持たせることを特徴とする。
【０００８】
請求項３の照明付工具は、前記透光差込部の後端に伸縮管を設け、光線はこの伸縮管を経由して、先端の透光差込部に発光効果を持たせることを特徴とする。
【０００９】
請求項４の照明付工具は、前記透光差込部は非中空にしたことを特徴とする。
【００１０】
請求項５の照明付工具は、前記透光差込部を射出成形する時、蛍光剤を混合させて蛍光効果を具有させることができることを特徴とする。
【考案の効果】
【００１１】
本考案によれば、工具の先端部とねじが接触する部分とに優れた照明機能を具有させ、さらにドライバーとしての用途だけではなく、筆記用具の用途にも使用することができる。
【考案を実施するための最良の形態】
【００１２】
以下、図面を参照して本考案の実施例を説明する。
【実施例】
【００１３】
図４はマイナス状の金属板片３１を金型の中に置き、一体に射出成形して構成した透光差込部３０であり、図５は十字型の金属板片３３を金型の中に置き、一体に射出成形した透光差込部３０であり、マイナス状、十字状に形成することができ、金属板片３１，３３の外周は透光差込部３０を有しているので、発光グリップ１０の透光ヘッド１２の挿入孔１３に挿入することができ、発光グリップ１０のＬＥＤ灯１４の光線は、透光ヘッド１２を経由し、透光差込部３０を伝わる光線により金属板片３１，３３の先端部３２，３４の周囲を発光させることができる。つまり、照明付工具は、透光差込部３０により光線を先端部３２，３４に集中させ、先端部３２，３４とねじ２４が接触する部分に極めて優れた照明効果を有している。
【００１４】
図６は、鉛筆４０を透光差込部３０の貫通孔３０１中に配置したものであり、図７はボールペン芯４１を透光差込部３０の貫通孔３０１に設配置したものであり、筆記用具としての用途を提供するものであって、透光差込部３０は光線を伝導するので、ペン先の字を書く部分に光線が集中し、優れた照明効果を達成できる。
【００１５】
図８，９は伸縮管４２の先端に透光ヘッド５０を設置し、透光ヘッド５０の中に磁石５１を設け、発光グリップ１０の光線は前記伸縮管４２を経由し、透光ヘッド５０に発光機能を具有させ、前記磁石５１は小さい部品を吸着し、例えば、釘、ねじ、ナットが暗い隙間に落ちた時など、照明によって探すことができ、かつそれを磁石によって吸着し回収することができる。
【００１６】
図１０，１１は透光差込部５２を非中空にしたものであり、光線を集中させ、更に強い点状の発光照明の用途に使用したり、また感応式モニター（例えばＰＤＡ、ノートパソコン）の筆記用具として使用したりし、同時に照明効果を具有するものである。
【００１７】
前記実施例で採用したＬＥＤ灯１４は、レーザーランプに代えることができ、また前記透光差込部３０を射出成形する時、蛍光剤を混合させ、蛍光効果を得ることもができる。
【図面の簡単な説明】
【００１８】
【図１】従来構造の照明効果を備える工具の立体分解図である。
【図２】従来構造の照明効果を備える工具の断面図である。
【図３】本考案一実施例の立体分解図である。
【図４】本考案一実施例におけるマイナスドライバーを設置した形態を示す断面図である。
【図５】本考案一実施例におけるプラスドライバーを設置した形態を示す断面図である。
【図６】本考案一実施例における鉛筆を設置した形態を示す断面図である。
【図７】本考案一実施例におけるボールペンを設置した形態を示す断面図である。
【図８】伸縮管を設置した実施例を示す立体分解図である。
【図９】伸縮管を設置した実施例を示す断面図である。
【図１０】透光差込部を設置した実施例を示す立体分解図である。
【図１１】透光差込部を設置した実施例を示す断面図である。
【符号の説明】
【００１９】
１０    発光グリップ
１１    本体
１２    透光ヘッド
１３    挿入孔
１４    ＬＥＤ灯
１５    電池
２０    ドライバー
２１    非中空鉄製ロッド
２２    先端部
２３    差込部
３０    透光差込部
３０１  貫通孔
３１    金属板片
３２    先端部
３３    金属板片
３４    先端部
４０    鉛筆
４１    ボールペン芯
４２    伸縮管
５０    透光ヘッド
５１    磁石
５２    透光差込部
代理人  弁理士    伊藤  進
【図１】
0003105660.tif 000003
【図２】
0003105660.tif 000004
【図３】
0003105660.tif 000005
【図４】
0003105660.tif 000006
【図５】
0003105660.tif 000007
【図６】
0003105660.tif 000008
【図７】
0003105660.tif 000009
【図８】
0003105660.tif 000010
【図９】
0003105660.tif 000011
【図１０】
0003105660.tif 000012
【図１１】
0003105660.tif 000013